(57)【要約】      （修正有）【課題】書類等を立てた形態で無理なく纏まりよく収納保管するため、常に書類等の厚みに追随応動してその厚みと過不足がない幅員が提供でき、卓上でこの書類立てが占有する面積を収納保管中の書類等の量に基づいた必要最小限に止め得る自在幅卓上書類立てを得ること。【解決手段】、自立性があり移行可能な一対の立面板部材１．２の内面を平行対面させ卓上に配置して書類立て左端及び右端部とし、その間に幅員を現出させておき、一方の立面板部材に内臓待機させた可撓性に富む底部材３を現出幅員相当長分だけ引き出して書類立て底部として当用すると共に、左右の立面板部材後縁面間を橋渡しして可動形態で係止しておく可動腕木状部材４が、立面板部材の平行対面と自立性の向上並びに幅員移行動作の円滑化を司りつつ現出幅員に適合した書類立て背面部を形成するので収納保管中の書類等が書類立て背面方向へ逸脱することがない。【選択図】  図１
0003108081.tif 000002
【実用新案登録請求の範囲】
【請求項１】
自立性があり移行可能な一対の立面板部材の内面を平行対面させて卓上に配置し書類立て左端及び右端部を形成させ、常にその幅員を収納保管する書類等の厚みに追随応動させ当該書類等の厚みと過不足がない幅員と為し、一方の立面板部材に内臓待機させた底部材を幅員相当長分だけ引出して書類立て底部として当用しておき、左右の立面板部材後縁面間を橋渡しして可動形態に係止した可動腕木状部材で、現出幅員に適合した書類立て背面部を形成しながら立面板部材の平行対面と自立性の向上並びに幅員移行動作の円滑化を司り、書類立ての卓上占有面積を収納保管の書類等の量に基づいた必要最小限に止め得る自在幅卓上書類立て。、
【考案の詳細な説明】
【技術分野】
【０００１】  書類等を立てた形態で収納保管したい時に供用する書類立ての幅員が常にその書類等の厚みに追随応動して過不足がない幅員となり、書類等に無理な力が懸かることなく纏まりよく収納保管でき、卓上で占有する面積が収納保管中の書類等の量に基づいた必要最小限に止まり得る書類立てに関するものである。
【背景技術】
【０００２】  事務処理に際し、書類等を立てた形態で収納保管したい時に頁数が少ない厚みのない書類等は供用した書類立ての幅員の広すぎに起因して斜め立ちや腰折れ状態で収納保管されて書類等に不必要な変形を生じさせてしまったり、また書類立ての幅員が狭い処へ書類等を詰め合せるなどして書類等に無理な力が懸かり出し入れに伴って書類等に回復が容易でない傷みを与えてしまったりする事態などが間々見聞されている。卓上の整理整頓を期待し収納保管書類等の増加を考慮した大き目の書類立てを供用するなどして卓上を無為に占有している状況も見受けられる。
【考案の開示】
【考案が解決しようとする課題】
【０００３】  卓上で書類等を立てた形態で収納保管したい時に、常に書類立ての幅員を収納保管の書類等の厚みに追随応動させてその厚みと過不足がない幅員を提供し、書類等へ無理な力が懸かることなく纏まりよく収納保管し収納保管中はもとより書類等の出し入れの際にも書類等に不用意に与え勝ちな変形や傷みが惹起し難く、書類立てが卓上で占有する面積を収納保管中の書類等の量に基づいた必要最小限に止め得る自在幅卓上書類立てを得ること。
【課題を解決するための手段】
【０００４】  収納保管する書類等を挟みつつ面接触し均等な適宜の力で左方と右方から押圧し書類等を立てた形態で保持する一対の自立し移行可能な立面板部材の内面部を、互いに平行に対面させて卓上に配置して本考案書類立ての左端及び右端部分とし、その相互間に課題に記述の幅員を現出させる。この幅員は書類立てが卓上で占有する面積の一因子となる。
一方の立面板部材に内臓待機させた可撓性に富む底部材を現出幅員相当長分だけ下端に設けてある吐出口から引出して、その端を対向している他方立面板部材の下端に係止し左右立面板部材間において本考案書類立ての底部として当用する。
卓上における立面板部材の平行対面と自立性の向上並びに幅員移行動作の円滑化を司りつつ左と右の立面板部材後縁面を橋渡しして可動形態で係止されている可動腕木状部材が、書類立て幅員が広がると水平に近ずき狭いと傾斜して現出幅員に適合した書類立て背面部を形成するので収納保管書類等が背面方向へ逸脱することがない。上述のように左右端部及び底部と背面部を構成する書類立てにより課題を満たす自在幅卓上書類立てが得られる。
【考案の効果】
【０００５】  本考案の書類立ては、収納保管する書類等の厚みと過不足がないぴったりの幅員となるよう常に幅員が移行出来るので、収納保管の書類等に無理な力が懸からず纏まりのよい収納保管となり、収納保管中は勿論のこと書類等を出し入れする際にも書類等へ不用意に与え勝ちな変形や傷みが惹起し難くなっていて、卓上で書類立てが占有する面積を収納保管中の書類等の量に基づいた必要最小限に止め得るので限られた卓上を無為に占有することがない。
【考案を実施するための最良の形態】
【０００６】平板状素材の張り合わせになっていて内部が空洞で下端に底部材吐出口が開いている右側の立面板部材に内臓待機させておく底部材は、空洞内では垂下形態をとり吐出口付近でＬ字状形となりつつ書類立て幅員相当長分だけ吐出口から立面板部材外へ引き出されて書類立て底部として当用される。内臓待機させておく底部材の長さと奥行きの寸法は収納する書類等を勘案して定め、布や革のように可撓性に富む素材を表にし、細長で断面が矩形の硬質性細素材を間断なく敷き詰めた形状物で裏打ちしＬ字状形にもなり得るような可撓性を与えておく。
左と右の立面板部材後縁面を橋渡しした可動腕木状部材は、長方形の薄板素材で両端に係止用ピンをもち一端を左側の立面板部材後縁面上部のピン孔に係止し他端ピンを右側の立面板部材後縁面に取り付けたレールへ嵌合せて滑動形態に係止しておいて、書類立て幅員即ち左右立面板部材間の間隔が広がると水平に近ずき狭まくなってくると斜め下がりにレールに沿って滑動していて、常に現出幅員に適合した背面部を形成すると共に左右立面板部材の平行対面と自立性の向上及び幅員移行動作の円滑化を司っている。
【実施例】
【０００７】  以下、添付図面に従って一実施例を説明する。１は内部空洞に底部材３を内臓し下端にその吐出口１ａが開いている書類立ての右端部を形成する立面板部材、２は後縁面上部に可動腕木状部材４の一端をピン止め係止する貫通孔２ａがある書類立ての左端部を形成する立面板部材で、卓上において１と２を平行対面させ移行可能に自立させて配置し、１ａから可撓性に富む底部材３を現出幅員相当長分だけ引き出しその端を２の下端に係止し、本考案書類立てが現出する幅員の底部として当用する。
１と２相互間の間隔即ち幅員を収納保管する書類等の厚みに追随応動して移行させる際に、２の下端にその引き出し端が係止されている３は１ａを経て更に引き出され又は逆行させられて常に現出幅員に適合した底部となる。、【０００８】  立面板部材１と２の後縁面間を橋渡しして、その一端を２ａにピン止め係止し他端ピンを１の後縁面の垂直方向に取り付けたレール１ｂに嵌合わせて滑動形態に係止してある可動腕木状部材４は、書類立て幅員が広がると水平に近ずき狭くなると右傾斜するよう１ｂを伝って滑動していて、その長方形面で形成する書類立て背面部は常に現出幅員に適合したものとなり収納保管の書類等が書類立て背面へ逸脱することがない。【０００９】  また可動腕木状部材４を前述のような可動形態で係止したことによって、書類立て左右端部を形成している立面板部材１及び２が幅員移行動作をする際に、それらの後縁面は共に４の長方形薄板面を基準にして移行するので、卓上の立面板部材相互間の連携を保ちながら幅員移行動作の円滑化並びに自立性と平行対面性を、４で司ることができる。
【図面の簡単な説明】
【００１０】
【図１】本考案の自在幅書類立ての実施例を示す一部切欠いた前面斜視図
【図２】本書類立ての背面斜視図
【図３】可動腕木状部材斜視図
【符号の説明】
【００１１】  １    書類立て右端部を形成する立面板部材
１ａ  底部材の吐出口
１ｂ  後縁面の可動腕木状部材係止用の垂直方向レール
２    書類立て左端部を形成する立面板部材
２ａ  可動腕木状部材の係止用ピン孔
３    底部材
４    可動腕木状部材
【図１】
0003108081.tif 000003
【図２】
0003108081.tif 000004
【図３】
0003108081.tif 000005